(57)【要約】      （修正有）【課題】再生率を把握することができるシート製造装置およびシート製造システムを提供する。【解決手段】シート製造装置１００は、シートの再生に供される使用済みのシートの量を検出する第１検出部６１と、再生されたシートの量を検出する第２検出部６２と、第１検出部の検出結果と、第２検出部との検出結果とに基づいて再生率を取得する取得部３４と、を備える。また、シート製造装置は、前記再生率を含む情報を出力する通信部を備える。【選択図】図３
2018164996.tif 000002
【特許請求の範囲】
【請求項１】
シートの再生に供される使用済みのシートの量を検出する第１検出部と、
再生されたシートの量を検出する第２検出部と、
前記第１検出部の検出結果と、前記第２検出部との検出結果とに基づいて再生率を取得する取得部と、を備えるシート製造装置。
【請求項２】
前記第１検出部は、前記使用済みのシートの重さを検出し、
前記第２検出部は、前記再生されたシートの重さを検出する請求項１に記載のシート製造装置。
【請求項３】
前記第１検出部は、前記使用済みのシートの枚数を検出し、
前記第２検出部は、前記再生されたシートの枚数を検出する請求項１または２に記載のシート製造装置。
【請求項４】
前記使用済みのシートは、印刷により印刷領域が形成されたものであり、
前記使用済みのシートにおける前記印刷領域の割合を検出する印刷割合検出部を備える請求項１ないし３のいずれか１項に記載のシート製造装置。
【請求項５】
前記再生率を含む情報を出力する通信部を備える請求項１ないし４のいずれか１項に記載のシート製造装置。
【請求項６】
前記通信部は、他のシート製造装置の前記再生率を含む情報を取得可能である請求項５に記載のシート製造装置。
【請求項７】
当該シート製造装置の操作者の識別情報を入力するＩＤ入力部と、
前記操作者ごとに前記再生率を記憶する記憶部と、を備える請求項１ないし６のいずれか１項に記載のシート製造装置。
【請求項８】
前記再生率を報知する報知部を備える請求項１ないし７のいずれか１項に記載のシート製造装置。
【請求項９】
シートの再生に供される使用済みのシートの量を検出する第１検出部と、再生されたシートの量を検出する第２検出部と、前記第１検出部の検出結果と、前記第２検出部との検出結果とに基づいて再生率を取得する取得部とを有するシート製造装置と、
前記シート製造装置を監視統括する監視統括サーバーと、を備えることを特徴とするシート製造システム。
【請求項１０】
前記監視統括サーバーは、前記再生率を分析する機能を有する請求項９に記載のシート製造システム。
【発明の詳細な説明】
【技術分野】
【０００１】
本発明は、シート製造装置およびシート製造システムに関する。
【背景技術】
【０００２】
近年では、環境への意識が高まり、職場での紙（記録媒体）の使用量の削減だけではなく、職場で紙の再生を行なうことが求められている。
【０００３】
記録媒体を再生する方法としては、古紙を離解処理しパルプ懸濁液を製造するパルプ懸濁液製造部と、パルプ懸濁液を抄紙し、再生紙を製造する抄紙部とを有する古紙再生処理装置が知られている（例えば、特許文献１参照）。
【０００４】
また、特許文献１に記載の古紙再生処理装置では、古紙再生処理、または古紙再生処理後のパルプ懸濁液製造部および抄紙部の洗浄処理における動作情報を含む運転状態情報を、通信回線を通じて接続された端末機器へ送信する機能を有する。
【先行技術文献】
【特許文献】
【０００５】
【特許文献１】特開２０１３−８７３７０号公報
【発明の概要】
【発明が解決しようとする課題】
【０００６】
ところで、古紙再生処理装置では、原料として投入した古紙からどのくらい再生紙が製造できているか示す再生率を知ることは容易ではなかった。
【０００７】
本発明のいくつかの態様に係る目的の１つは、再生率を把握することができるシート製造装置およびシート製造システムを提供することにある。
【課題を解決するための手段】
【０００８】
本発明は、上述の課題の少なくとも一部を解決するためになされたものであり、以下の態様として実現することが可能である。
【０００９】
本発明のシート製造装置は、シートの再生に供される使用済みのシートの量を検出する第１検出部と、
再生されたシートの量を検出する第２検出部と、
前記第１検出部の検出結果と、前記第２検出部との検出結果とに基づいて再生率を取得する取得部と、を備える。
【００１０】
本発明によれば、再生率を取得することにより、供給した使用済みのシートの量に対して、どの程度シートを再生することができたかを把握することができる。よって、シート製造装置の操作者が、どの程度エコ（以下、「ecology」の略語として使用する）に貢献しているかを把握することができ、エコへの意識をより高めることができる。
【００１１】
本発明のシート製造装置では、前記第１検出部は、前記使用済みのシートの重さを検出し、
前記第２検出部は、前記再生されたシートの重さを検出するのが好ましい。
【００１２】
これにより、使用済みのシートと再生されたシートの大きさが違ったとしても、正確に再生率を取得することができる。
【００１３】
本発明のシート製造装置では、前記第１検出部は、前記使用済みのシートの枚数を検出し、
前記第２検出部は、前記再生されたシートの枚数を検出するのが好ましい。
【００１４】
これにより、枚数を検出するという簡単な方法で、再生率を取得することができる。また、再生率を取得する際、整数を整数で除算するという簡単な演算により、取得することができる。
【００１５】
本発明のシート製造装置では、前記使用済みのシートは、印刷により印刷領域が形成されたものであり、
前記使用済みのシートにおける前記印刷領域の割合を検出する印刷割合検出部を備えるのが好ましい。
【００１６】
これにより、例えば、印刷領域が所定の割合を超えている場合、すなわち、供給した原料Ｍ１に対して再生されるシートの量が少なく、効率が悪い場合には、その旨を報知することにより、再生率を高めることができる。よって、再生率の改善に寄与する。
【００１７】
本発明のシート製造装置では、前記再生率を含む情報を出力する通信部を備えるのが好ましい。
これにより、再生率を含む情報を例えば監視統括サーバーに送信することができる。
【００１８】
本発明のシート製造装置では、前記通信部は、他のシート製造装置の前記再生率を含む情報を取得可能であるのが好ましい。
【００１９】
これにより、他のシート製造装置の再生率を含む情報を取得することができる。よって、操作者は、自身の再生率と他のシート製造装置の再生率とを比較することができる。
【００２０】
本発明のシート製造装置では、当該シート製造装置の操作者の識別情報を入力するＩＤ入力部と、
前記操作者ごとに前記再生率を記憶する記憶部と、を備えるのが好ましい。
これにより、操作者ごとの再生率を監視統括サーバーに送信することができる。
【００２１】
本発明のシート製造装置では、前記再生率を報知する報知部を備えるのが好ましい。
これにより、操作者に再生率を報知することができる。
【００２２】
本発明のシート製造システムは、シートの再生に供される使用済みのシートの量を検出する第１検出部と、再生されたシートの量を検出する第２検出部と、前記第１検出部の検出結果と、前記第２検出部との検出結果とに基づいて再生率を取得する取得部とを有するシート製造装置と、
前記シート製造装置を監視統括する監視統括サーバーと、を備えることを特徴とする。
【００２３】
これにより、本発明のシート製造装置の利点を享受しつつ、監視統括サーバーからも、シート製造装置の再生率を把握することができる。
【００２４】
本発明のシート製造システムでは、前記監視統括サーバーは、前記再生率を分析する機能を有するのが好ましい。
これにより、シート製造装置の再生率を分析することができる。
【図面の簡単な説明】
【００２５】
【図１】図１は、本発明のシート製造装置（第１実施形態）の概略構成図である。
【図２】図２は、図１に示すシート製造装置が実行する工程を順に示す図である。
【図３】図３は、本発明のシート製造システム（第１実施形態）の概略図である。
【図４】図４は、図１に示すシート製造装置の制御動作を示すフローチャートである。
【図５】図５は、図３に示す表示部に表示される情報の一例を示す図である。
【図６】図６は、本発明のシート製造装置の第２実施形態が備える制御部の制御動作を示すフローチャートである。
【図７】図７は、本発明のシート製造装置の第２実施形態が備える表示部に表示される情報の一例を示す図である。
【発明を実施するための形態】
【００２６】
以下、本発明のシート製造装置およびシート製造システムを添付図面に示す好適な実施形態に基づいて詳細に説明する。
【００２７】
図１および図３に示すシート製造装置１００は、シートの再生に供される使用済みのシートの量を検出する第１検出部６１と、再生されたシートの量を検出する第２検出部６２と、第１検出部６１の検出結果と、第２検出部６２との検出結果とに基づいて再生率を取得する再生率取得部３４（取得部）と、を備える。
【００２８】
本発明によれば、再生率を取得することにより、供給した使用済みのシート（原料Ｍ１）の量に対して、どの程度シートＳを再生することができたかを把握することができる。よって、シート製造装置１００の操作者が、どの程度エコ（以下、「ecology」の略語として使用する）に貢献しているかを把握することができ、エコへの意識をより高めることができる。
【００２９】
また、図３に示す本発明のシート製造システム１は、本発明のシート製造装置１００と、監視統括サーバー４とを備える。すなわち、シートの再生に供される使用済みのシートの量を検出する第１検出部６１と、再生されたシートの量を検出する第２検出部６２と、第１検出部６１の検出結果と、第２検出部６２との検出結果とに基づいて再生率を取得する再生率取得部３４（取得部）とを備えるシート製造装置１００と、シート製造装置１００を監視統括する監視統括サーバー４と、を備えている。
【００３０】
これにより、本発明のシート製造装置１００の利点を享受しつつ、監視統括サーバー４からも、シート製造装置１００の再生率を把握することができる。
【００３１】
＜第１実施形態＞
図１は、本発明のシート製造装置（第１実施形態）の概略構成図である。図２は、図１に示すシート製造装置が実行する工程を順に示す図である。図３は、本発明のシート製造システム（第１実施形態）の概略図である。図４は、図１に示すシート製造装置の制御動作を示すフローチャートである。図５は、図３に示す表示部に表示される情報の一例を示す図である。
【００３２】
なお、以下では、説明の都合上、図１の上側を「上」または「上方」、下側を「下」または「下方」と言い、左側を「左」または「上流側」、右側を「右」または「下流側」と言うことがある。
【００３３】
図３に示すように、本発明のシート製造システム１は、本発明のシート製造装置１００と、監視統括サーバー４とを備えている。また、シート製造装置１００と監視統括サーバー４とはネットワーク３００を介して通信可能である。
【００３４】
まず、シート製造装置１００について説明する。
図１および図３に示すシート製造装置１００は、原料供給部１１と、粗砕部１２と、解繊部１３と、選別部１４と、第１ウェブ形成部１５と、細分部１６と、混合部１７と、ほぐし部１８と、第２ウェブ形成部１９と、シート形成部２０と、切断部２１と、ストック部２２とを備えている。また、シート製造装置１００は、加湿部２３１と、加湿部２３２と、加湿部２３３と、加湿部２３４と、加湿部２３５と、加湿部２３６と、制御部３と、第１検出部６１と、第２検出部６２と、表示部６３と、ＩＤ入力部６４とを備えている。シート製造装置１００が備える各部の作動は、制御部３によって制御されている。
【００３５】
図２に示すように、本実施形態では、シートの製造方法は、原料供給工程と、粗砕工程と、解繊工程と、選別工程と、第１ウェブ形成工程と、分断工程と、混合工程と、ほぐし工程と、第２ウェブ形成工程と、シート形成工程と、切断工程とを有する。
【００３６】
以下、シート製造装置１００が備える各部の構成について説明する。
原料供給部１１は、粗砕部１２に原料Ｍ１を供給する原料供給工程（図２参照）を行なう部分である。この原料Ｍ１としては、繊維（セルロース繊維）を含む繊維含有材料で構成された、例えばシート状をなすものである。また、原料Ｍ１は、本実施形態では、古紙、すなわち、印刷により印刷領域が形成された使用済みのシートとなっているが、これに限定されず、未使用のシートであってもよい。なお、セルロース繊維とは、化合物としてのセルロース（狭義のセルロース）を主成分とし繊維状をなすものであればよく、セルロース（狭義のセルロース）の他に、ヘミセルロース、リグニンを含むものであってもよい。
【００３７】
粗砕部１２は、原料供給部１１から供給された原料Ｍ１を気中（空気中）で粗砕する粗砕工程（図２参照）を行なう部分である。粗砕部１２は、一対の粗砕刃１２１と、シュート（ホッパー）１２２とを有している。
【００３８】
一対の粗砕刃１２１は、互いに反対方向に回転することにより、これらの間で原料Ｍ１を粗砕して、すなわち、裁断して粗砕片Ｍ２にすることができる。粗砕片Ｍ２の形状や大きさは、解繊部１３における解繊処理に適しているのが好ましく、例えば、１辺の長さが１００ｍｍ以下の小片であるのが好ましく、１０ｍｍ以上７０ｍｍ以下の小片であるのがより好ましい。
【００３９】
シュート１２２は、一対の粗砕刃１２１の下方に配置され、例えば漏斗状をなすものとなっている。これにより、シュート１２２は、粗砕刃１２１によって粗砕されて落下してきた粗砕片Ｍ２を受けることができる。
【００４０】
また、シュート１２２の上方には、加湿部２３１が一対の粗砕刃１２１に隣り合って配置されている。加湿部２３１は、シュート１２２内の粗砕片Ｍ２を加湿するものである。この加湿部２３１は、水分を含むフィルター（図示せず）を有し、フィルターに空気を通過させることにより、湿度を高めた加湿空気を粗砕片Ｍ２に供給する気化式（または温風気化式）の加湿器で構成されている。加湿空気が粗砕片Ｍ２に供給されることにより、粗砕片Ｍ２が静電気によってシュート１２２等に付着するのを抑制することができる。
【００４１】
シュート１２２は、管（流路）２４１を介して、解繊部１３に接続されている。シュート１２２に集められた粗砕片Ｍ２は、管２４１を通過して、解繊部１３に搬送される。
【００４２】
解繊部１３は、粗砕片Ｍ２（繊維を含む繊維含有材料）を気中（空気中）で、すなわち、乾式で解繊する解繊工程（図２参照）を行なう部分である。この解繊部１３での解繊処理により、粗砕片Ｍ２から解繊物Ｍ３を生成することができる。ここで「解繊する」とは、複数の繊維が結着されてなる粗砕片Ｍ２を、繊維１本１本に解きほぐすことをいう。そして、この解きほぐされたものが解繊物Ｍ３となる。解繊物Ｍ３の形状は、線状や帯状である。また、解繊物Ｍ３同士は、絡み合って塊状となった状態、すなわち、いわゆる「ダマ」を形成している状態で存在してもよい。
【００４３】
解繊部１３は、例えば本実施形態では、高速回転するローターと、ローターの外周に位置するライナーとを有するインペラーミルで構成されている。解繊部１３に流入してきた粗砕片Ｍ２は、ローターとライナーとの間に挟まれて解繊される。
【００４４】
また、解繊部１３は、ローターの回転により、粗砕部１２から選別部１４に向かう空気の流れ（気流）を発生させることができる。これにより、粗砕片Ｍ２を管２４１から解繊部１３に吸引することができる。また、解繊処理後、解繊物Ｍ３を、管２４２を介して選別部１４に送り出すことができる。
【００４５】
解繊部１３は、解繊物Ｍ３（粗砕片Ｍ２）に付着した樹脂粒や、インク、トナー等の色材、にじみ防止剤等の物質を、繊維から分離させる機能も有する。
【００４６】
また、解繊部１３は、管（流路）２４２を介して、選別部１４に接続されている。解繊物Ｍ３（解繊後の繊維含有材料）は、管２４２を通過して、選別部１４に搬送される。
【００４７】
管２４２の途中には、ブロアー２６１が設置されている。ブロアー２６１は、選別部１４に向かう気流を発生させる気流発生装置である。これにより、選別部１４への解繊物Ｍ３の送り出しが促進される。
【００４８】
選別部１４は、解繊物Ｍ３を、繊維の長さの大小によって選別する選別工程（図２参照）を行なう部分である。選別部１４では、解繊物Ｍ３は、第１選別物Ｍ４−１と、第１選別物Ｍ４−１よりも大きい第２選別物Ｍ４−２とに選別される。第１選別物Ｍ４−１は、その後のシートＳ（シート材）の製造に適した大きさのものとなっている。第２選別物Ｍ４−２は、例えば、解繊が不十分なものや、解繊された繊維同士が過剰に凝集したもの等が含まれる。
【００４９】
選別部１４は、ドラム部１４１と、ドラム部１４１を収納するハウジング部１４２とを有する。
【００５０】
ドラム部１４１は、円筒状をなす網体で構成され、その中心軸回りに回転する篩である。このドラム部１４１には、解繊物Ｍ３が流入してくる。そして、ドラム部１４１が回転することにより、網の目開きよりも小さい解繊物Ｍ３は、第１選別物Ｍ４−１として選別され、網の目開き以上の大きさの解繊物Ｍ３は、第２選別物Ｍ４−２として選別される。
第１選別物Ｍ４−１は、ドラム部１４１から落下する。
【００５１】
一方、第２選別物Ｍ４−２は、ドラム部１４１に接続されている管（流路）２４３に送り出される。管２４３は、ドラム部１４１と反対側（下流側）が管２４１とに接続されている。この管２４３を通過した第２選別物Ｍ４−２は、管２４１内で粗砕片Ｍ２と合流して、粗砕片Ｍ２とともに解繊部１３に流入する。これにより、第２選別物Ｍ４−２は、解繊部１３に戻されて、粗砕片Ｍ２とともに解繊処理される。
【００５２】
また、ドラム部１４１からの第１選別物Ｍ４−１は、空気中に分散しつつ落下して、ドラム部１４１の下方に位置する第１ウェブ形成部（分離部）１５に向かう。第１ウェブ形成部１５は、第１選別物Ｍ４−１から第１ウェブＭ５を形成する第１ウェブ形成工程（図２参照）を行なう部分である。第１ウェブ形成部１５は、メッシュベルト（分離ベルト）１５１と、３つの張架ローラー１５２と、吸引部（サクション機構）１５３とを有している。
【００５３】
メッシュベルト１５１は、無端ベルトであり、第１選別物Ｍ４−１が堆積する。このメッシュベルト１５１は、３つの張架ローラー１５２に掛け回されている。そして、張架ローラー１５２の回転駆動により、メッシュベルト１５１上の第１選別物Ｍ４−１は、下流側に搬送される。
【００５４】
第１選別物Ｍ４−１は、メッシュベルト１５１の目開き以上の大きさとなっている。これにより、第１選別物Ｍ４−１は、メッシュベルト１５１の通過が規制され、よって、メッシュベルト１５１上に堆積することができる。また、第１選別物Ｍ４−１は、メッシュベルト１５１上に堆積しつつ、メッシュベルト１５１ごと下流側に搬送されるため、層状の第１ウェブＭ５として形成される。
【００５５】
また、第１選別物Ｍ４−１には、色材ＣＭが混在している。この色材ＣＭは、メッシュベルト１５１の目開きよりも小さい。これにより、色材ＣＭは、メッシュベルト１５１を通過して、さらに下方に落下する。
【００５６】
吸引部１５３は、メッシュベルト１５１の下方から空気を吸引することができる。これにより、メッシュベルト１５１を通過した色材ＣＭを空気ごと吸引することができる。
【００５７】
また、吸引部１５３は、管（流路）２４４を介して、回収部２７に接続されている。吸引部１５３で吸引された色材ＣＭは、回収部２７に回収される。
【００５８】
回収部２７には、管（流路）２４５がさらに接続されている。また、管２４５の途中には、ブロアー２６２が設置されている。このブロアー２６２の作動により、吸引部１５３で吸引力を生じさせることができる。これにより、メッシュベルト１５１上における第１ウェブＭ５の形成が促進される。この第１ウェブＭ５は、色材ＣＭが除去されたものとなる。また、色材ＣＭは、ブロアー２６２の作動により、管２４４を通過して、回収部２７まで到達する。
【００５９】
ハウジング部１４２は、加湿部２３２と接続されている。加湿部２３２は、加湿部２３１と同様の気化式の加湿器で構成されている。これにより、ハウジング部１４２内には、加湿空気が供給される。この加湿空気により、第１選別物Ｍ４−１を加湿することができ、よって、第１選別物Ｍ４−１がハウジング部１４２の内壁に静電力によって付着してしまうのを抑制することもできる。
【００６０】
選別部１４の下流側には、加湿部２３５が配置されている。加湿部２３５は、水を噴霧する超音波式加湿器で構成されている。これにより、第１ウェブＭ５に水分を供給（加湿）することができ、よって、第１ウェブＭ５の水分量が調整される。この調整により、静電力による第１ウェブＭ５のメッシュベルト１５１への吸着を抑制することができる。これにより、第１ウェブＭ５は、メッシュベルト１５１が張架ローラー１５２で折り返される位置で、メッシュベルト１５１から容易に剥離される。
【００６１】
加湿部２３５の下流側には、細分部１６が配置されている。細分部１６は、メッシュベルト１５１から剥離した第１ウェブＭ５を分断する分断工程（図２参照）を行なう部分である。細分部１６は、回転可能に支持されたプロペラ１６１と、プロペラ１６１を収納するハウジング部１６２とを有している。そして、回転するプロペラ１６１に第１ウェブＭ５が巻き込まれることにより、第１ウェブＭ５を分断することができる。分断された第１ウェブＭ５は、細分体Ｍ６となる。また、細分体Ｍ６は、ハウジング部１６２内を下降する。
【００６２】
ハウジング部１６２は、加湿部２３３と接続されている。加湿部２３３は、加湿部２３１と同様の気化式の加湿器で構成されている。これにより、ハウジング部１６２内には、加湿空気が供給される。この加湿空気により、細分体Ｍ６がプロペラ１６１やハウジング部１６２の内壁に静電力によって付着してしまうのを抑制することもできる。
【００６３】
細分部１６の下流側には、混合部１７が配置されている。混合部１７は、細分体Ｍ６と樹脂Ｐ１とを混合する混合工程（図２参照）を行なう部分である。この混合部１７は、樹脂供給部１７１と、管（流路）１７２と、ブロアー１７３とを有している。
【００６４】
管１７２は、細分部１６のハウジング部１６２と、ほぐし部１８のハウジング部１８２とを接続しており、細分体Ｍ６と樹脂Ｐ１との混合物Ｍ７が通過する流路である。
【００６５】
管１７２の途中には、樹脂供給部１７１が接続されている。樹脂供給部１７１は、スクリューフィーダー１７４を有している。このスクリューフィーダー１７４が回転駆動することにより、樹脂Ｐ１を粉体または粒子として管１７２に供給することができる。管１７２に供給された樹脂Ｐ１は、細分体Ｍ６と混合されて混合物Ｍ７となる。
【００６６】
なお、樹脂Ｐ１は、後の工程で繊維同士を結着させるものであり、例えば、熱可塑性樹脂、硬化性樹脂等を用いることができるが、熱可塑性樹脂を用いるのが好ましい。熱可塑性樹脂としては、例えば、ＡＳ樹脂、ＡＢＳ樹脂、ポリエチレン、ポリプロピレン、エチレン−酢酸ビニル共重合体（ＥＶＡ）等のポリオレフィン、変性ポリオレフィン、ポリメチルメタクリレート等のアクリル樹脂、ポリ塩化ビニル、ポリスチレン、ポリエチレンテレフタレート、ポリブチレンテレフタレート等のポリエステル、ナイロン６、ナイロン４６、ナイロン６６、ナイロン６１０、ナイロン６１２、ナイロン１１、ナイロン１２、ナイロン６−１２、ナイロン６−６６等のポリアミド（ナイロン）、ポリフェニレンエーテル、ポリアセタール、ポリエーテル、ポリフェニレンオキシド、ポリエーテルエーテルケトン、ポリカーボネート、ポリフェニレンサルファイド、熱可塑性ポリイミド、ポリエーテルイミド、芳香族ポリエステル等の液晶ポリマー、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等が挙げられ、これらから選択される１種または２種以上を組み合わせて用いることができる。好ましくは、熱可塑性樹脂としては、ポリエステルまたはこれを含むものを用いる。
【００６７】
なお、樹脂供給部１７１から供給されるものとしては、樹脂Ｐ１の他に、例えば、繊維を着色するための着色剤、繊維の凝集や樹脂Ｐ１の凝集を抑制するための凝集抑制剤、繊維等を燃えにくくするための難燃剤等が含まれていてもよい。また、澱粉等の植物性の材料でもよい。
【００６８】
また、管１７２の途中には、樹脂供給部１７１よりも下流側にブロアー１７３が設置されている。ブロアー１７３は、ほぐし部１８に向かう気流を発生させることができる。この気流により、管１７２内で、細分体Ｍ６と樹脂Ｐ１とを撹拌することができる。これにより、混合物Ｍ７は、細分体Ｍ６と樹脂Ｐ１とが均一に分散した状態で、ほぐし部１８に流入することができる。また、混合物Ｍ７中の細分体Ｍ６は、管１７２内を通過する過程でほぐされて、より細かい繊維状となる。
【００６９】
ほぐし部１８は、混合物Ｍ７における、互いに絡み合った繊維同士をほぐすほぐし工程（図２参照）を行なう部分である。ほぐし部１８は、ドラム部１８１と、ドラム部１８１を収納するハウジング部１８２とを有する。
【００７０】
ドラム部１８１は、円筒状をなす網体で構成され、その中心軸回りに回転する篩である。このドラム部１８１には、混合物Ｍ７が流入してくる。そして、ドラム部１８１が回転することにより、混合物Ｍ７のうち、網の目開きよりも小さい繊維等が、ドラム部１８１を通過することができる。その際、混合物Ｍ７がほぐされることとなる。
【００７１】
また、ドラム部１８１でほぐされた混合物Ｍ７は、空気中に分散しつつ落下して、ドラム部１８１の下方に位置する第２ウェブ形成部１９に向かう。第２ウェブ形成部１９は、混合物Ｍ７から第２ウェブＭ８を形成する第２ウェブ形成工程（図２参照）を行なう部分である。第２ウェブ形成部１９は、メッシュベルト（分離ベルト）１９１と、張架ローラー１９２と、吸引部（サクション機構）１９３とを有している。
【００７２】
メッシュベルト１９１は、無端ベルトであり、混合物Ｍ７が堆積する。このメッシュベルト１９１は、４つの張架ローラー１９２に掛け回されている。そして、張架ローラー１９２の回転駆動により、メッシュベルト１９１上の混合物Ｍ７は、下流側に搬送される。
【００７３】
また、メッシュベルト１９１上のほとんどの混合物Ｍ７は、メッシュベルト１９１の目開き以上の大きさである。これにより、混合物Ｍ７は、メッシュベルト１９１を通過してしまうのが規制され、よって、メッシュベルト１９１上に堆積することができる。また、混合物Ｍ７は、メッシュベルト１９１上に堆積しつつ、メッシュベルト１９１ごと下流側に搬送されるため、層状の第２ウェブＭ８として形成される。
【００７４】
吸引部１９３は、メッシュベルト１９１の下方から空気を吸引することができる。これにより、メッシュベルト１９１上に混合物Ｍ７を吸引することができ、よって、混合物Ｍ７のメッシュベルト１９１上への堆積が促進される。
【００７５】
吸引部１９３には、管（流路）２４６が接続されている。また、この管２４６の途中には、ブロアー２６３が設置されている。このブロアー２６３の作動により、吸引部１９３で吸引力を生じさせることができる。
【００７６】
ハウジング部１８２は、加湿部２３４と接続されている。加湿部２３４は、加湿部２３１と同様の気化式の加湿器で構成されている。これにより、ハウジング部１８２内には、加湿空気が供給される。この加湿空気により、ハウジング部１８２内を加湿することができ、よって、混合物Ｍ７がハウジング部１８２の内壁に静電力によって付着してしまうのを抑制することもできる。
【００７７】
ほぐし部１８の下流側には、加湿部２３６が配置されている。加湿部２３６は、加湿部２３５と同様の超音波式加湿器で構成されている。これにより、第２ウェブＭ８に水分を供給することができ、よって、第２ウェブＭ８の水分量が調整される。この調整により、静電力による第２ウェブＭ８のメッシュベルト１９１への吸着を抑制することができる。これにより、第２ウェブＭ８は、メッシュベルト１９１が張架ローラー１９２で折り返される位置で、メッシュベルト１９１から容易に剥離される。
【００７８】
第２ウェブ形成部１９の下流側には、シート形成部２０が配置されている。シート形成部２０は、第２ウェブＭ８からシートＳを形成するシート形成工程（図２参照）を行なう部分である。このシート形成部２０は、加圧部２０１と、加熱部２０２とを有している。
【００７９】
加圧部２０１は、一対のカレンダーローラー２０３を有し、これらの間で第２ウェブＭ８を加熱せずに加圧することができる。これにより、第２ウェブＭ８の密度が高められる。そして、この第２ウェブＭ８は、加熱部２０２に向けて搬送される。なお、一対のカレンダーローラー２０３のうちの一方は、モーター（図示せず）の作動により駆動する主動ローラーであり、他方は、従動ローラーである。
【００８０】
加熱部２０２は、一対の加熱ローラー２０４を有し、これらの間で第２ウェブＭ８を加熱しつつ、加圧することができる。この加熱加圧により、第２ウェブＭ８内では、樹脂Ｐ１が溶融して、この溶融した樹脂Ｐ１を介して繊維同士が結着する。これにより、シートＳが形成される。そして、このシートＳは、切断部２１に向けて搬送される。なお、一対の加熱ローラー２０４の一方は、モーター（図示略）の作動により駆動する主動ローラーであり、他方は、従動ローラーである。
【００８１】
シート形成部２０の下流側には、切断部２１が配置されている。切断部２１は、シートＳを切断する切断工程（図２参照）を行なう部分である。この切断部２１は、第１カッター２１１と、第２カッター２１２とを有する。
【００８２】
第１カッター２１１は、シートＳの搬送方向と交差する方向にシートＳを切断するものである。
【００８３】
第２カッター２１２は、第１カッター２１１の下流側で、シートＳの搬送方向に平行な方向にシートＳを切断するものである。
【００８４】
このような第１カッター２１１と第２カッター２１２との切断により、所望の大きさのシートＳが得られる。そして、このシートＳは、さらに下流側に搬送されて、ストック部２２に蓄積される。
【００８５】
図３に示すように、制御部３は、ＣＰＵ３１（Ｃｅｎｔｒａｌ Ｐｒｏｃｅｓｓｉｎｇ Ｕｎｉｔ）と、ネットワーク接続部３２と、記憶部３３と、再生率取得部３４と、情報送信部３５と、情報受信部３６と、印刷割合検出部３７と、を有している。
【００８６】
ＣＰＵ３１は、シート製造装置１００の作動を制御する。また、ＣＰＵ３１は、記憶部３３に記憶されている各種プログラムに基づいて各部を制御する。
【００８７】
ネットワーク接続部３２は、ネットワーク３００を介して、監視統括サーバー４と通信を行う。なお、ネットワーク３００としては、特に限定されないが、ＬＡＮ（Local Area Network）、ＷＡＮ（Wide Area Network）や、ＭＡＮ（Metropolitan Area Network）や、インターネット等が挙げられる。
【００８８】
記憶部３３は、例えば、書き換え可能な不揮発性メモリーで構成され、記憶部３３には、シート製造装置１００の再生率等の情報や、各種プログラムは、ＣＰＵ３１によって実行される。
【００８９】
また、記憶部３３は、操作者ごとに再生率を記憶するものである。すなわち、ＩＤ入力部６４に入力された識別情報ごとに再生率を記憶する。これにより、操作者ごとの再生率を監視統括サーバー４に送信することができる。
【００９０】
再生率取得部３４（取得部）は、シートの再生に供される使用済みのシート（原料Ｍ１）の量と、再生されたシートＳの量とに基づいて、再生率を取得する。なお、再生率取得部３４は、演算により再生率を取得してもよく、予め記憶されたテーブルに基づいて再生率を取得してもよいが、本実施形態では、演算により再生率を取得するものとする。また、シート製造装置１００では、再生率取得部３４が取得した再生率に関する情報等を表示部６３に表示することができる。
【００９１】
情報送信部３５は、再生率等の情報を、ネットワーク接続部３２を介して監視統括サーバー４に送信する。
【００９２】
情報受信部３６は、ネットワーク接続部３２を介して監視統括サーバー４から、再生率の集計結果を受信する。受信した集計結果は、表示部６３に表示される。
【００９３】
シート製造装置１００では、ネットワーク接続部３２と、情報送信部３５と、情報受信部３６とで、再生率を含む情報を出力する通信部が構成されている。これにより、再生率を含む情報を監視統括サーバー４に送信することができる。よって、後述するように、監視統括サーバー４が、シート製造装置１００の再生率を分析した分析結果を表示部６３に表示することができる。
【００９４】
印刷割合検出部３７は、原料Ｍ１（使用済みのシート）における印刷領域の割合を検出する。これにより、後述するように、例えば、印刷領域が所定の割合を超えている場合、すなわち、供給した原料Ｍ１に対して再生されるシートＳの量が少なく、効率が悪い場合には、その旨を表示部６３に表示することにより、再生率を高めることができる。よって、再生率の改善に寄与する。
【００９５】
なお、印刷割合検出部３７としては、例えば、原料Ｍ１を撮像し、その撮像結果における印刷領域を検出することにより、上記を実現する構成とすることができる。
【００９６】
第１検出部６１は、シートの再生に供される使用済みのシート（原料Ｍ１）の量を検出するものである。第１検出部６１は、本実施形態では、例えば、光センサー等で構成することができ、原料Ｍ１が通過した際の光の遮断状態を検出することにより、原料Ｍ１の枚数を検出することができる。この第１検出部６１は、制御部３に接続され、その作動が制御されている。
【００９７】
第２検出部６２は、再生されたシートＳの量を検出するものである。第２検出部６２は、本実施形態では、例えば、光センサー等で構成することができ、シートＳが通過した際の光の遮断状態を検出することにより、シートＳの枚数を検出することができる。この第２検出部６２は、制御部３に接続され、その作動が制御されている。
【００９８】
このように、第１検出部６１は、使用済みのシート（原料Ｍ１）の枚数を検出し、第２検出部６２は、再生されたシートＳの枚数を検出する。これにより、枚数を検出するという簡単な方法で、再生率を取得することができる。また、再生率を取得する際、整数を整数で除算するという簡単な演算により、取得することができる。
【００９９】
なお、第１検出部６１は、使用済みのシート（原料Ｍ１）の重さを検出し、第２検出部６２は、再生されたシートＳの重さを検出する構成であってもよい。これにより、原料Ｍ１とシートＳの大きさが違ったとしても、正確に再生率を取得することができる。
【０１００】
表示部６３は、モニターで構成され、後述する再生率等、各種情報を表示することができる。すなわち、表示部６３は、再生率等の情報を報知する報知部として機能する。これにより、操作者に再生率を報知することができる。この表示部６３は、制御部３と電気的に接続され、その作動が制御される。
【０１０１】
ＩＤ入力部６４は、シート製造装置１００の操作者の識別情報を入力するものである。ＩＤ入力部６４は、例えば、操作者が自身のＩＤを手入力する入力部や、操作者が保有するバーコードを読み込むリーダー等、公知の手法を適用することができる。
【０１０２】
監視統括サーバー４は、ＣＰＵ４１と、ネットワーク接続部４２と、記憶部４３と、情報受信部４４と、集計部４５と、集計結果送信部４６と、を有している。
【０１０３】
ＣＰＵ４１は、ＣＰＵ３１と同様に、各種プログラムを実行する。ネットワーク接続部４２は、ネットワーク３００を介して、ネットワーク接続部３２と通信を行う。記憶部４３には、各種プログラムが記憶されている。また、記憶部４３は、シート製造装置１００から送信された再生率等の情報が記憶される。
【０１０４】
情報受信部４４は、ネットワーク接続部４２を介してシート製造装置１００から再生率等の情報を受信し、記憶部４３に記憶する。集計部４５は、記憶部４３に記憶されている再生率等の情報の集計を行う。
【０１０５】
集計結果送信部４６は、集計部４５の集計結果をクライアント端末５の集計結果受信部５１に送信する。集計結果受信部５１が受信した集計結果は、クライアント端末５の表示部５２に表示される。
【０１０６】
ところで、近年では、環境への意識が高まり、職場での紙（記録媒体）の使用量の削減だけではなく、職場で紙の再生を行なうことが求められている。本発明では、環境への意識をさらに高めることができる。以下、このことについて、図５を参照しつつ、図４に示すフローチャートに基づいて説明する。
【０１０７】
まず、操作者が、シート製造装置１００の電源を入れ、ＩＤ入力部６４にＩＤを入力する。この入力されたＩＤを取得し、シート製造装置１００の作動を開始する（ステップＳ１０１）。
【０１０８】
次いで、ステップＳ１０２において、図３に示す第１検出部６１により、操作者が図１に示す原料供給部１１に投入した原料Ｍ１の枚数を検出する。そして、ステップＳ１０３において、図３に示す印刷割合検出部３７により、原料１枚ごとの印刷割合を検出する。
【０１０９】
次いで、ステップＳ１０４において、古紙再生処理、すなわち、シートＳの製造を開始する。そして、ステップＳ１０５において、再生されたシートＳの枚数を検出する。
【０１１０】
次いで、ステップＳ１０６において、検出したシートＳの枚数を、ステップＳ１０２で検出した原料Ｍ１の枚数で除算して、再生率を算出する。
【０１１１】
次いで、ステップＳ１０６で算出した再生率を監視統括サーバー４に送信する（ステップＳ１０７）。監視統括サーバー４は、シート製造装置１００から受信した再生率に基づいて分析を行い、「理想の再生率」、「全国平均再生率」、「全国ランキング」および「再生率改善案」をシート製造装置１００に送信する。
【０１１２】
なお、「理想の再生率」は、予め設定された理想の値であり、監視統括サーバー４の記憶部４３に記憶されている。「全国平均再生率」は、監視統括サーバー４にネットワーク３００を介して接続されている全てのシート製造装置から取得した再生率の平均値をＣＰＵ４１が算出した値である。「全国ランキング」は、監視統括サーバー４にネットワーク３００を介して接続されている全てのシート製造装置に対して再生率を上位から順にランク付けした順位である。「再生率改善案」は、再生率に応じて、予め監視統括サーバー４の記憶部４３に記憶されている。
【０１１３】
次いで、ステップＳ１０８において、監視統括サーバー４から、「理想の再生率」、「全国平均再生率」、「全国ランキング」および「再生率改善案」を受信する。そして、ステップＳ１０９において、「理想の再生率」、「全国平均再生率」、「全国ランキング」および「再生率改善案」等の情報を表示する（図５参照）。
【０１１４】
図５には、表示部６３に表示された「理想の再生率」、「全国平均再生率」、「全国ランキング」および「再生率改善案」の一例を示している。なお、図５には、シート製造装置１００の月ごとの累計が示されている。
【０１１５】
図５に示すように、シート製造装置１００の「再生率」は、５０％であった。また、図中「給紙古紙枚数」は、シート製造装置１００に供給された原料Ｍ１の総数を示しており、３０００枚である。また、「再生した枚数」は、製造されたシートＳの総数を示しており、１５００枚である。
【０１１６】
また、全国平均の「再生率」は、６５％であり、「給紙古紙枚数」の全国平均は、２５００枚であり、「再生した枚数」の全国平均は、１３００枚である。
【０１１７】
また、シート製造装置１００の「再生率」は、全国４２位であり、シート製造装置１００の「給紙古紙枚数」は、全国２５位であり、シート製造装置１００の「再生した枚数」は、全国３５位である。
【０１１８】
また、図５に示す「平均印刷割合」は、原料Ｍ１において印刷領域が占める印刷割合を示している。シート製造装置１００の「平均印刷割合」は、９．３％であり、全国平均の「平均印刷割合」は、６．２％である。また、シート製造装置１００の「平均印刷割合」は、全国１２位である。
【０１１９】
また、「平均印刷割合」の図５中下側には、「理想再生率７２％＜理想印刷割合５％＞」と表示されており、理想再生率が７２％、理想印刷割合が５％であることを示している。
【０１２０】
また、「理想再生率７２％＜理想印刷割合５％＞」の図５中下側には、「コメント」が表示されている。「コメント」は、再生率改善案を示したものであり、「印刷の割合が多く、再生に使える繊維が少なくなっているようです。もう少し白地を残した印刷を心がけると、再生率が向上します」とのアドバイスが表示されている。
【０１２１】
このように、シート製造装置１００では、操作者自身の再生率、理想の再生率、全国平均再生率、全国ランキングおよび再生率改善案が表示される。
【０１２２】
自身の再生率が表示されることにより、供給した使用済みのシート（原料Ｍ１）の量に対して、どの程度シートＳを再生することができたかを把握することができる。よって、シート製造装置１００の操作者が、どの程度エコに貢献しているかを把握することができ、エコへの意識をより高めることができる。
【０１２３】
理想の再生率が表示されることにより、操作者自身の再生率の良し悪しの程度を把握し易くなる。よって、操作者のエコへの意識を高めることができる。
【０１２４】
また、全国平均再生率および全国ランキングが表示されることにより、操作者自身の再生率が、その他の操作者と比べることができる。よって、操作者のエコへの意識をさらに高めることができる。
【０１２５】
また、再生率改善案が表示されることにより、操作者自身の再生率を改善するには、具体的にどのようなことを対策すればよいかが分かる。よって、再生率の向上に寄与する。
【０１２６】
以上説明したように、シート製造装置１００によれば、再生率を取得することにより、供給した使用済みのシート（原料Ｍ１）の量に対して、どの程度シートＳを再生することができたかを把握することができる。よって、シート製造装置１００の操作者が、どの程度エコに貢献しているかを把握することができ、エコへの意識をより高めることができる。
【０１２７】
さらに、シート製造システム１によれば、監視統括サーバー４が、シート製造装置１００の再生率を分析する機能を有するため、シート製造装置１００の再生率を分析し、例えば、「理想の再生率」、「全国平均再生率」、「全国ランキング」および「再生率改善案」等の分析結果をシート製造装置１００に送信することができる。
【０１２８】
また、通信部（ネットワーク接続部３２、情報送信部３５および情報受信部３６）は、上述したように、他のシート製造装置の再生率を含む情報を取得可能である。このため、操作者の競争心を煽ることができ、エコへの意識を高めることができる。
【０１２９】
＜第２実施形態＞
図６は、本発明のシート製造装置の第２実施形態が備える制御部の制御動作を示すフローチャートである。図７は、本発明のシート製造装置の第２実施形態が備える表示部に表示される情報の一例を示す図である。
【０１３０】
以下、この図を参照して本発明のシート製造装置およびシート製造システムの第２実施形態について説明するが、前述した実施形態との相違点を中心に説明し、同様の事項はその説明を省略する。
【０１３１】
本実施形態は、シート製造装置の制御動作が異なること以外は前記第１実施形態と同様である。
【０１３２】
図６のフローチャート中のステップＳ２０１およびステップＳ２０２は、第１実施形態で説明したステップＳ１０１〜ステップＳ１０８を行った後に行われるステップである。すなわち、第１実施形態のステップＳ１０９を省略し、本実施形態では、Ｓ２０１およびステップＳ２０２を行う。なお、監視統括サーバー４の記憶部４３は、操作者が属する職場に関する情報を記憶している。
【０１３３】
ステップＳ２０１において、監視統括サーバー４から、職場平均再生率、職場ランキングを受信する。本実施形態では、前記実施形態で述べた「理想の再生率」、「全国平均再生率」、「全国ランキング」および「再生率改善案」に加え、「職場平均再生率」および「職場ランキング」を受信する。
【０１３４】
そして、ステップＳ２０２において、「理想の再生率」、「全国平均再生率」、「全国ランキング」、「再生率改善案」、「職場平均再生率」および「職場ランキング」を表示する（図７参照）。以下、図７に示す分析結果について説明するが、図５との相違点のみを説明する。
【０１３５】
図７には、表示部６３に表示された「理想の再生率」、「全国平均再生率」、「全国ランキング」および「再生率改善案」の一例を示している。なお、図７には、操作者（ＩＤ：０１２３）の個別の月ごとの累計情報が示されている。
【０１３６】
図７に示すように、操作者（ＩＤ：０１２３）の「再生率」は、８１％であった。また、図中「給紙古紙枚数」は、操作者（ＩＤ：０１２３）が、シート製造装置１００に供給した原料Ｍ１の総数を示しており、３００枚である。また、「再生した枚数」は、製造されたシートＳの総数を示しており、２４３枚である。
【０１３７】
また、職場平均の「再生率」は、５０％であり、「給紙古紙枚数」の職場平均は、２２０枚であり、「再生した枚数」の職場平均は、１１０枚である。
【０１３８】
操作者（ＩＤ：０１２３）の「再生率」は、職場内で１位であり、「給紙古紙枚数」は、職場内で２位であり、「再生した枚数」は、職場内で１位であり、「平均印刷割合」は、職場内で２５位である。
【０１３９】
また、図７に示す「平均印刷割合」は、原料Ｍ１において印刷領域が占める印刷割合を示している。シート製造装置１００の「平均印刷割合」は、３．２％であり、職場平均の「平均印刷割合」は、９．３％である。また、シート製造装置１００の「平均印刷割合」は、全国２５位である。
【０１４０】
このように、本実施形態では、操作者自身の「再生率」、「理想の再生率」、「職場平均再生率」、「職場ランキング」および「再生率改善案」が表示される。「職場平均再生率」および「職場ランキング」が表示されることにより、身近な他の操作者の再生率と比較することができる。よって、操作者のエコへの意識をさらに高めることができる。
【０１４１】
以上、本発明のシート製造装置およびシート製造システムを図示の実施形態について説明したが、本発明は、これに限定されるものではない。また、シート製造装置およびシート製造システムを構成する各部は、同様の機能を発揮し得る任意の構成のものと置換することができる。また、任意の構成物が付加されていてもよい。
【０１４２】
また、本発明のシート製造装置およびシート製造システムは、前記各実施形態のうちの、任意の２以上の構成（特徴）を組み合わせたものであってもよい。
【０１４３】
また、前記第１実施形態では、第１検出部は、使用済みのシートの枚数および重さのいずれかを検出し、第２検出部は、再生されたシートの枚数および重さのいずれかを検出する構成であったが、本発明ではこれに限定されず、例えば、第１検出部は、使用済みのシートの枚数および重さの双方を検出し、第２検出部は、再生されたシートの枚数および重さの双方を検出してもよい。
【０１４４】
また、前記各実施形態では、監視統括サーバーが分析機能を有する場合について説明したが、本発明ではこれに限定されず、シート製造装置の制御部が分析機能を有していてもよい。
【０１４５】
また、前記各実施形態では、シート製造装置に制御部が内蔵された構成について説明したが、本発明ではこれに限定されず、シート製造装置に外付けで制御部が接続されていてもよい。
【０１４６】
また、前記各実施形態では、報知部は、モニターであったが、音声により報知する構成であってもよく、また、音声により報知する機能を付加してもよい。
【符号の説明】
【０１４７】
１００…シート製造装置、３００…ネットワーク、１…シート製造システム、３…制御部、３１…ＣＰＵ、３２…ネットワーク接続部、３３…記憶部、３４…再生率取得部、３５…情報送信部、３６…情報受信部、３７…印刷割合検出部、４…監視統括サーバー、４１…ＣＰＵ、４２…ネットワーク接続部、４３…記憶部、４４…情報受信部、４５…集計部、４６…集計結果送信部、５…クライアント端末、５１…集計結果受信部、５２…表示部、１１…原料供給部、１２…粗砕部、１２１…粗砕刃、１２２…シュート、１３…解繊部、１４…選別部、１４１…ドラム部、１４２…ハウジング部、１５…第１ウェブ形成部、１５１…メッシュベルト、１５２…張架ローラー、１５３…吸引部、１６…細分部、１６１…プロペラ、１６２…ハウジング部、１７…混合部、１７１…樹脂供給部、１７２…管、１７３…ブロアー、１７４…スクリューフィーダー、１８…ほぐし部、１８１…ドラム部、１８２…ハウジング部、１９…第２ウェブ形成部、１９１…メッシュベルト、１９２…張架ローラー、１９３…吸引部、２０…シート形成部、２１…切断部、２１１…第１カッター、２１２…第２カッター、２２…ストック部、２０１…加圧部、２０２…加熱部、２０３…カレンダーローラー、２０４…加熱ローラー、２３１…加湿部、２３２…加湿部、２３３…加湿部、２３４…加湿部、２３５…加湿部、２３６…加湿部、２４１…管、２４２…管、２４３…管、２４４…管、２４５…管、２４６…管、２６１…ブロアー、２６２…ブロアー、２６３…ブロアー、２７…回収部、６１…第１検出部、６２…第２検出部、６３…表示部、６４…ＩＤ入力部、ＣＭ…色材、Ｍ１…原料、Ｍ２…粗砕片、Ｍ３…解繊物、Ｍ４−１…第１選別物、Ｍ４−２…第２選別物、Ｍ５…第１ウェブ、Ｍ６…細分体、Ｍ７…混合物、Ｍ８…第２ウェブ、Ｐ１…樹脂、Ｓ…シート、Ｓ１０１…ステップ、Ｓ１０２…ステップ、Ｓ１０３…ステップ、Ｓ１０４…ステップ、Ｓ１０５…ステップ、Ｓ１０６…ステップ、Ｓ１０７…ステップ、Ｓ１０８…ステップ、Ｓ１０９…ステップ、Ｓ２０１…ステップ、Ｓ２０２…ステップ
【図１】
2018164996.tif 000003
【図２】
2018164996.tif 000004
【図３】
2018164996.tif 000005
【図４】
2018164996.tif 000006
【図５】
2018164996.tif 000007
【図６】
2018164996.tif 000008
【図７】
2018164996.tif 000009